(57)【要約】【課題】人椅子の座当の高さと向きを自動的に回復可能なこと。【解決手段】外管と内管の間には回転回復子が設けてあり、椅子のベースと座当の間に設置されるガススプリングであって、ガススプリングは、内管が外管に入れられ、外管の外周面には外スリーブが嵌めてあり、内管の上端にはエア入れ弁が設けてあり、エア入れ弁にはエア入れ穴が開設してあり、回転回復子には、上回復子と下回復子とが夫々設けてあり、上回復子がガススプリングの内管の上端に固定され、下回復子がガススプリングの外スリーブの内周面の下端の適当な箇所に固定され、上、下回復子のガススプリングに対向する端面には、位置決め凸部と位置決め凹部とがそれぞれ設けてある。【選択図】図１
0003139054.tif 000002
【実用新案登録請求の範囲】
【請求項１】
外管と内管の間には回転回復子が設けてあり、椅子のベースと座当の間に設置されるガススプリングであって、
前記ガススプリングは、前記内管が前記外管に入れられ、前記外管の外周面には外スリーブが嵌めてあり、前記内管の上端にはエア入れ弁が設けてあり、前記エア入れ弁にはエア入れ穴が開設してあり、前記エア入れ穴の外側に気密子が嵌め設けてあり、
前記回転回復子には、上回復子と下回復子とがそれぞれ設けてあり、前記上回復子がガススプリングの内管の上端に固定され、なお、前記下回復子がガススプリングの外スリーブの内周面の下端の適当な箇所に固定され、前記上、下回復子のガススプリングに対向する端面には、位置決め凸部と位置決め凹部とがそれぞれ設けてあり、前記位置決め凸部と位置決め凹部との両側にはスライド案内面が形成してあることを特徴とする、
ガススプリング。
【考案の詳細な説明】
【技術分野】
【０００１】
本考案は、ガススプリングに係り、特に、椅子の上で座る人がいない場合に、椅子が最高点まで自動的に上昇すると共に、所定位置まで自動的に回転可能であり、これにより、人工で特別に調整しなくても、同じ場所に設置される椅子の座当は、自動的に、同じ高さに回復可能であり、且つ同じ方向に向き可能であるガススプリングに関するものである。
【背景技術】
【０００２】
現在、バーやレストランなどのレジャー場所に使用される各種類の椅子は、一般に、ベースと座当の間にガススプリングが設けてある。ユーザが椅子に座るときに、ガススプリングにより、座当の高さを調整可能であり、且つ座当を任意の方向に向かせることもできるため、使用するうえで極めて便利である。
【考案の開示】
【考案が解決しようとする課題】
【０００３】
しかしながら、このような従来の椅子によれば、座当の高さを調整可能であり、且つ座当を任意の方向に向かせることもできるが、椅子に座る人の身長が異なると、調整された椅子の座当の高さも相違することとなる。
そしてユーザが椅子から離れると、座当の向き方向が色々ある。
同じ場所での椅子の座当の高さ及び向き方向を一致にするためには、人為的に一つ一つを調整する必要があって、使用するうえで極めて不便であるといった欠点があった。
【課題を解決するための手段】
【０００４】
上記欠点を解決するためになされた本願の考案は、外管と内管の間には回転回復子が設けてあり、椅子のベースと座当の間に設置されるガススプリングであって、前記ガススプリングは、前記内管が前記外管に入れられ、前記外管の外周面には外スリーブが嵌めてあり、前記内管の上端にはエア入れ弁が設けてあり、前記エア入れ弁にはエア入れ穴が開設してあり、前記エア入れ穴の外側に気密子が嵌め設けてあり、前記回転回復子には、上回復子と下回復子とがそれぞれ設けてあり、前記上回復子がガススプリングの内管の上端に固定され、なお、前記下回復子がガススプリングの外スリーブの内周面の下端の適当な箇所に固定され、前記上、下回復子のガススプリングに対向する端面には、位置決め凸部と位置決め凹部とがそれぞれ設けてあり、前記位置決め凸部と位置決め凹部との両側にはスライド案内面が形成してあることを特徴とするガススプリングであることを要旨としている。
【考案の効果】
【０００５】
本考案のガススプリングによれば、椅子の上で座る人がいない場合に、椅子が最高点まで自動的に上昇すると共に、所定位置まで自動的に回転可能である。これにより、人工で特別に調整しなくても、同じ場所に設置される椅子の座当は、自動的に、同じ高さに回復可能であり、且つ同じ方向に向き可能であるといった効果を有する。
【考案を実施するための最良の形態】
【０００６】
以下、添付図面を参照して本考案の好適な実施の形態を詳細に説明する。
【０００７】
まず、図１乃至図３を参照する。図１は本考案の構造を示す分解斜視図であり、図２は本考案の組合状態の斜視図であり、図３は本考案の使用状態を示す概略図である。本考案のガススプリング１は、内部に回転回復子２が設けてあり、椅子４のベース４１と座当４２の間に設置される。
【０００８】
前記ガススプリング１は、前記内管１２が前記外管１１に入れられ、前記外管１１の外周面には外スリーブ１３が嵌めてある。
前記内管１２の上端にはエア弁ブッシュ１４が設けてある。
前記エア弁ブッシュ１４の内部にはエア弁１４１が嵌め設けてあり、且つエア弁１４１の作動を制御するための制御具１５が設けてある。
前記外スリーブ１３の下端には、塞ぎ具１６と、外キャップ１７とがそれぞれ設けてある。
前記塞ぎ具１６には内管１２を挿入する貫通孔１６１が開設してあり、且つ前記外キャップ１７には内管１２を挿入する貫通孔１７１も開設してあり、前記内管１２が外キャップ１７にある貫通孔１７１を挿通して被覆用管３と結合する。
また、図４に示すように、前記内管１２の上端にエア入れ弁１８が設けてあり、前記エア入れ弁１８にはエア入れ穴１８１が開設してあり、前記エア入れ穴１８１の外側に気密子１８２が嵌め設けてある。
【０００９】
前記回転回復子２には、上回復子２１と下回復子２２とがそれぞれ設けてあり、前記上回復子２１がガススプリング１の内管１２の上端に固定される。
前記下回復子２２がガススプリング１の外スリーブ１３の内周面の下端の適当な箇所に固定される。
前記上、下回復子２１，２２のガススプリング１に対向する端面には、位置決め凸部２１１と位置決め凹部２２１とがそれぞれ設けてある。
前記位置決め凸部２１１と位置決め凹部２２１との両側にはスライド案内面２１２，２２２が形成してある。
【００１０】
このように、図５に示すように、平常時に、エア入れ弁１８に開設されたエア入れ穴１８１によりエアが気密子１８２を押し除けてガススプリング１に進入する。
これにより、ガススプリング１の上端にある座当４２は上昇の動力を有する。
ユーザが座当４２に座っているときに、前記上昇の動力がユーザと座当４２とを押上げることができず、ユーザが座当４２から離れたときに、エア入れ穴１８１によりエアが気密子１８２を押し除けてガススプリング１に持続に進入する。
そうすると、ガススプリング１の外管１１と外スリーブ１３とにより座当４２が持続に押上げられる。
そして座当４２が最高点まで上昇した後に、図６乃至図９に示すように、ガススプリング１の内管１２と外スリーブ１３とに設置される回転回復子２の上、下回復子２１，２２が互いに接触する。
ひいては前記上、下回復子２１，２２の対向しているスライド案内面２１２，２２２が互いに接触して回転される。
このとき、前記内管１２は、被覆用管３とベース４１とに結合するので、回転することができなくなる。
そのため、前記外スリーブ１３により座当４２が回転される。
そして前記上、下回復子２１，２２の位置決め凸部２１１が位置決め凹部２２１に係止されると、前記座当４２が所定の方向に向かせられ、このとき、前記座当４２も最高点に位置する。
【００１１】
以上のように、本考案に係る実施例について説明したが、本考案はこれらの実施例に限定されるものではなく、当業者が本考案の精神および範囲を逸脱することなく、ここで開示された実施例に変更、追加、または、削除を施したものも本考案に含まれることは勿論である。
【図面の簡単な説明】
【００１２】
【図１】本考案の構造を示す分解斜視図である。
【図２】本考案の組合状態の斜視図である。
【図３】本考案の使用状態を示す概略図である。
【図４】本考案の一部の拡大断面図である。
【図５】本考案のエアを入れる状態を示す概略図である。
【図６】本考案の全体の動作を示す概略図である。
【図７】本考案の使用の動作を示す概略図１である。
【図８】本考案の使用の動作を示す概略図２である。
【図９】本考案の使用の動作を示す概略図３である。
【符号の説明】
【００１３】
１        ガススプリング
２        回転回復子
３        被覆用管
４        椅子
１１      外管
１２      内管
１３      外スリーブ
１４      エア弁ブッシュ
１５      制御具
１６      塞ぎ具
１７      外キャップ
１８      エア入れ弁
２１      上回復具
２２      下回復具
４１      ベース
４２      座当
１４１    エア弁
１６１    貫通孔
１７１    貫通孔
１８１    エア入れ穴
１８２    気密子
２１１    位置決め凸部
２１２    スライド案内面
２２１    位置決め凹部
２２２    スライド案内面
【図１】
0003139054.tif 000003
【図２】
0003139054.tif 000004
【図３】
0003139054.tif 000005
【図４】
0003139054.tif 000006
【図５】
0003139054.tif 000007
【図６】
0003139054.tif 000008
【図７】
0003139054.tif 000009
【図８】
0003139054.tif 000010
【図９】
0003139054.tif 000011